【事件の表示】
　平成　４年特許願第３３２２３５号「観察装置用の撮像具」拒絶査定不服審判事件〔平成　６年　６月　７日出願公開、特開平　６−１６０７２９〕について、次のとおり審決する。
【結　論】
　本件審判の請求は、成り立たない。
【理　由】
１．手続の経緯・本願発明
　本願は、平成４年１１月１９日の出願であって、本願の請求項１〜４に係る発明は、平成１４年４月３日付の手続補正書により補正された明細書及び図面の記載からみて、その特許請求の範囲の請求項１〜４に記載された事項により特定されるとおりのものであり、その請求項１に係る発明は次のとおりのものである。
「【請求項１】
　観察物を照明するための照明系、観察物の像を取り込むための細長い像伝送体、及び前記像伝送体で取り込んだ観察物の像を撮像する撮像素子を備えてなる撮像具において、
　発光源からの照明光を導光する複数の光ファイバの各出射端面を、前記像伝送体の出射端面の周縁に当接させた状態で環状に配列させ、前記光ファイバのそれぞれの前記出射端面から出射して前記像伝送体の前記出射端面より前記像伝送体に入射した照明光を前記像伝送体中の伝播により観察物に照射するように照明系が構成されていることを特徴とする撮像具。」
　
２．引用刊行物
　原査定の拒絶理由に引用された、引用文献１（特開昭５８−１６３９０９号公報）には、次の事項が記載されている。
「第１図に示した硬性鏡１は、その円筒状の外装シース２の後端が接眼枠３の前壁４に固着されている。前記外装シース２内には、円柱状の観察光学系５を構成する、収束性光伝送体からなるとともに一体的に接続された対物レンズ６とリレーレンズ７が、リレーレンズ７の後端部分を除いて収納されている。前記対物レンズ６の前面にはカバーガラス８が設けられている。そして、前記対物レンズ６及びカバーガラス８は環状のレンズ支持部材９を介して前記外装シ−ス２に固定され、これによって前記レンズ支持部材９より後端側の前記観察光学系５は、前述した対物レンズ６、リレーレンズ７をそれぞれ形成する収束性光伝送体の周面における屈折率よりも小さな屈折率を有する空気層１０によって被われている。前記観察光学系５は前記リレーレンズ７の後端において接眼枠３の固定壁１１に固着され、前記リレーレンズ７の後端面は前記接眼枠３の段部１２に押え環１３により固定された接眼レンズ１４と対向している。
なお、前記接眼枠３の前記固定壁１１から前記段部１２に至る内周面には、結像光以外の有害光を除去するための凹凸部１５が形成されている。前記接眼枠３の周壁には開口部１６が形成され、ここからライトガイド１７が挿入されて、このライトガイド１７の先端面は観察光学系５のリレーレンズ７の周面に、対物レンズ６方向に向けて斜めに接続されている。この接続における角度は、照明光が空気層１０との境界面で反射されうる所定範囲の入射角で入射するように設定される。そして前記ライトガイド１７の後端面は、前記観察光学系５に照明光を入射するため照明用光源１８に接続されているものである。
　続いて、上述した実施例における照明光の伝送を第２図を参照して説明する。照明用光源１８で発せられた光は、ライトガイド１７を伝わってリレーレンズ７の周面から、対物レンズ６方向に向けて所定範囲の入射角で前記リレーレンズ７内に入射する。・・・入射した照明光１９は観察光学系５内を先端に向けて伝送され、リレーレンズ７の先端面に至ると対物レンズ６に収光されて、カバーガラス８から出射されるものである。
　次に、第３図を参照して観察光の伝送について説明する。前述のようにしてカバーガラス８から出射した照明光１９は、物体に当たって反射し、前記カバーガラス８を通って対物レンズ６にもどり、この対物レンズ６の後端面に結像される。この結像光２０は、リレーレンズ７で伝送されてその後端面に結像し、接眼レンズ１４を通して観察者の目の中に入ることになる。」（第２頁右上欄第１０行〜第３頁左上欄第５行）
　
「このようにして本実施例によれば、観察光学系５によって照明光学系をも兼用することにより、スコープを極細化することが可能となる」（第３頁左上欄第１９行〜同頁右上欄第１行）
　
「第５図は、本発明の第３の実施例を示し、ライトガイド１７はリレーレンズ７の周面に接続するのではなく、リレーレンズ７の後端面から照明光を所定範囲の入射角で入射しうるとともに、結像光が接眼レンズ１４に到達するのを阻害しないように、接眼枠３の周壁に固着され、その先端面は前記接眼枠３内において前記リレーレンズ７の後端面に向いている。そして、照明光の前記リレーレンズ７への入射を効率よく行うため、前記リレーレンズ７の後端は環状の反射部材２３を介して接眼枠３の固定壁１１に固着してある。その他の構成については、開□部１６が不要となるほかは、前述した第１の実施例と同じである」（第３頁右上欄第２０行〜同頁左下欄第１２行）
　
　引用文献１に記載の「ライトガイドの先端面」は、「照明用光源からの照明光を導光するライトガイドの出射端面」であるので、前記記載事項と図面（主に第５図）の記載からみて、引用文献１には「物体を照明するための照明光学系、物体の像を取り込むための細長いリレーレンズと対物レンズ、及び前記リレーレンズと対物レンズで取り込んだ物体の像を形成する硬性鏡において、照明用光源からの照明光を導光するライトガイドの出射端面を、前記リレーレンズの後端面に照明光を入射しうる状態に配列させ、前記ライトガイドの出射端面から出射して前記リレーレンズの後端面より前記リレーレンズと対物レンズに入射した照明光を前記リレーレンズと対物レンズ中の伝播により物体に照射するように照明光学系が構成されていることを特徴とする硬性鏡。」が記載されている。
　
　同引用文献２〔実願昭５９−７３１５３号（実開昭６０−１８６４１９号）のマイクロフィルム〕には、次の事項が記載されている。
「内視鏡本体１０の内周壁とレンズ筒１１の外周壁との間には、光源装置からの照明光を伝送するための光ファイバー束１４が配置されている。光ファイバー束１４は、レンズ筒１１の先端よりもさらに延ばされ内視鏡本体１０の先端部近傍に至っている。光ファイバー束１４の先端部は円筒状に束ねられている。」（第５頁第１２〜１９行）
　
「第１図に示すように、雌ねじ部１５と雄ねじ部２２とを螺合させることにより内視鏡本体１０と挿入部２０とを連結した状態では、透明パイプ２３の後端面２３ａが光ファイバー束１４の先端面１４ａに・・・当接するようにして対向し、金属パイプ２４およびロッドレンズ２７はレンズ筒１１の挿通孔１１ａに挿入される。したがって、光ファイバー束１４を通った照明光は透明パイプ２３から外部へ照射され、この光に照らされた検体の画像が、カバーガラス２５からロッドレンズ２６，２７，レンズ筒１１内のレンズ１３を介して伝送され、接眼部で観察される。」（第６頁第１８行〜第７頁第１０行）
　
　前記記載事項と図面の記載からみて、引用文献２には、光源装置からの照明光を導光する光ファイバー束の先端面を、透明パイプの端面に当接させた状態で円筒状に配列させる照明系の導光体の当接構成、が記載されている。
　
　同引用文献３（特開平４−２２９８１６号公報）には、次の事項が記載されている。
「【０００６】
【実施例】以下、この発明の実施例を説明する。この実施例による同軸照明式観察装置１は、図３に示すように、対物具２と、この対物具２で取り入れた像を再生するためのディスプレイ等を含む観察装置本体３とからなっている。対物具２は、図１に示すように、被観察物Ｍの像を取り入れるための観察光学系１０、観察光学系１０で得られた像を捉えるための撮像系１１、及び照明光を供給するための照明光学系１２を備えている。
【０００７】観察光学系１０は、対物レンズ１３及びロッドレンズ１４を配列してなるもので、対物レンズ１３は、後述のロッドレンズ１４と同様の分布屈折率形レンズであるが、ロッドレンズ１４が像を単に伝送するだけなのに対し、所定の設計倍率で拡大像を得られるようになっている。ロッドレンズ１４は、分布屈折率形、つまり屈折率が中心軸から外周に向かって放物線状に分布するタイプの像伝送体で円柱棒状をしいる。そして、図２に示すように、屈折率の分布状態に応じたサインカーブ状の光路により光を伝搬させることにより、像をそのまま入射端面１５側から出射端面１６側へ伝送するようになっている。
【０００８】・・・このロッドレンズ１４では、出射端面１６より先に結像させ、この結像位置にＣＣＤ素子１７の受光面１７ｆを臨ませるようにしている。」（第２頁左欄第５０行〜同頁右欄第２８行）
　
　前記記載事項と図面の記載からみて、引用文献３には、被観察物の像を撮像するＣＣＤ素子を備えてなる同軸照明式観察装置、が記載されている。
　
３．対比
　引用文献１記載の発明における「物体」、「照明光学系」、「リレーレンズと対物レンズ」、「照明用光源」、及び「リレーレンズの後端面」は、本願特許請求の範囲の請求項１に係る発明（以下、「本願発明」という。）における「観察物」、「照明系」、「像伝送体」、「発光源」、及び「像伝送体の出射端面」に、それぞれ相当する。
　そして、本願発明の「複数の光ファイバ」は「ライトガイド」の一種であり、引用文献１記載の「硬性鏡」と本願発明の「撮像具」は、いずれも「像を形成する光学装置」である。
　したがって、本願発明と引用文献１記載の発明とを対比すると、本願発明と引用文献１記載の発明は、「観察物を照明するための照明系、観察物の像を取り込むための細長い像伝送体、及び前記像伝送体で取り込んだ観察物の像を形成する光学装置において、発光源からの照明光を導光するライトガイドの出射端面を、前記像伝送体の出射端面に照明光を入射しうる状態に配列させ、前記ライトガイドの出射端面から出射して前記像伝送体の前記出射端面より前記像伝送体に入射した照明光を前記像伝送体中の伝播により観察物に照射するように照明系が構成されていることを特徴とする光学装置。」で一致し、次の点で両者の構成は相違する。
　
相違点（Ａ）：
　光学装置が、本願発明は、観察物の像を撮像する撮像素子を備えてなる撮像具であるのに対して、引用文献１記載の発明は、観察物の像を形成する硬性鏡である点。
　
相違点（Ｂ）：
　照明用の導光部材が、本願発明は、複数の光ファイバであるのに対して、引用文献１記載の発明は、ライトガイドである点。
　
相違点（Ｃ）：
　本願発明は、複数の光ファイバの各出射端面を、像伝送体の出射端面の周縁に当接させた状態で環状に配列させているのに対して、引用文献１記載の発明は、ライトガイドの出射端面を、像伝送体の出射端面に照明光を入射しうる状態に配列させている点。
　
４．判断
相違点（Ａ）について：
　引用文献３記載の発明における「被観察物」、「ＣＣＤ素子」、及び「同軸照明式観察装置」は、本願発明における「観察物」、「撮像素子」、及び「撮像具」に、それぞれ相当するので、引用文献３には、観察物の像を撮像する撮像素子を備えてなる撮像具、が記載されており、これは周知技術である。
　光学装置を、引用文献１記載の硬性鏡に換えて、引用文献３記載の観察物の像を撮像する撮像素子を備えてなる撮像具として、相違点（Ａ）における本願発明のような構成にしたことに、格別の困難性は認められない。
　
相違点（Ｂ）について：
　複数の光ファイバが、ライトガイドの一種であることは、例をあげるまでもなく周知の事実であるので、引用文献１記載のライトガイドとして、周知の複数の光ファイバを採用して、相違点（Ｂ）における本願発明のような構成にしたことは、何ら格別なものとは認められない。
　
相違点（Ｃ）について：
　引用文献２記載の発明における「光源装置」、「光ファイバー束の先端面」、及び「円筒状」は、本願発明における「発光源」、「複数の光ファイバの各出射端面」、及び「環状」に、それぞれ相当する。そして、引用文献２記載の発明における「透明パイプの端面」は、「次の光伝送体の端面」であるので、引用文献２には、発光源からの照明光を導光する複数の光ファイバの各出射端面を、次の光伝送体の端面に当接させた状態で環状に配列させる照明系の導光体の当接構成が記載されている。
　引用文献１（第５図）記載の、ライトガイドの出射端面と、次の光伝送体である像伝送体の出射端面（リレーレンズの後端面）との、照明系の導光体の照明光の入射構成として、引用文献２に記載の前記照明系の導光体の当接構成を採用することは、当業者が容易に想到しえたものと認める。そして、その採用にあたっては、複数の光ファイバの環状に配列された各出射端面を、次の光伝送体である像伝送体の出射端面（リレーレンズの後端面）の中央部に当接させると、像伝送の障害となるので、像伝送の障害とならないように、複数の光ファイバの環状に配列された各出射端面を、次の光伝送体である像伝送体の出射端面（リレーレンズの後端面）の周縁に当接させるようにして、相違点（Ｃ）における本願発明のような構成にしたことに、格別の困難性は認められない。
　
　そして、前記相違点（Ａ）、（Ｂ）及び（Ｃ）における本願発明の構成による効果は、引用文献１〜３の記載および周知の事実から予測される範囲のものである。
　
５．むすび
　したがって、本願特許請求の範囲の請求項１に係る発明は、本願出願前に国内で頒布された引用文献１〜３記載の発明および周知技術に基づいて、当業者が容易に発明をすることができたものであり、特許法第２９条第２項の規定により特許を受けることができない。
　よって、本願特許請求の範囲の請求項２〜４に係る発明の審理をするまでもなく、本願は拒絶すべきものである。
　よって、結論のとおり審決する。